【手続補正書】
【提出日】平成16年9月10日(2004.9.10)
【手続補正１】
【補正対象書類名】特許請求の範囲
【補正対象項目名】全文
【補正方法】変更
【補正の内容】
【特許請求の範囲】
【請求項１】
受動運動装置であって、該装置は、
該装置の使用者の身体の少なくとも一部分を支持し、また、使用時に、平面からなる実質的に水平な支持面を提供する第１の支持部材と、使用時に、前記平面に配置される実質的に水平な支持面を提供する第２の支持部材とを含む主支持アセンブリであって、前記第２の支持部材は、前記第１の支持部材に回転可能に連結され、また、前記第１の支持部材に対する前記第２の支持部材の動きが、前記第１の支持部材により支持された身体の一部分に対する、前記第２の部材により支持された使用者の身体の一部分の受動運動を提供するように前記第１の支持部材に対して可動である前記主支持アセンブリと、
使用者の脚の少なくとも一部分を支持するように、前記主支持アセンブリの１つの端部において前記主支持アセンブリに連結される脚支持アセンブリと、
作動時に、前記第２の部材により支持された身体の部分に連続して受動運動を提供するために、連続して周期的に繰り返して、前記第１の支持部材に対する前記第２の支持部材の前記運動を提供するための電動駆動手段と、
を備える受動運動装置。
【請求項２】
前記脚支持アセンブリは、支持プラットフォームと支持ストラットとを含み、該支持ストラットは、前記使用者の脚の下部分が前記使用者の身体の残りの部分に対して高められるととともに、前記使用者の脚の上部分が前記使用者の身体の脚の下部分および体幹に対して実質的に直角に延びるように、最初に言及した前記平面に対して高められた平面において前記プラットフォームを支持する請求項１に記載の受動運動装置。
【請求項３】
前記脚支持アセンブリは、前記支持ストラットの周りにおける前記支持プラットフォームの角度調整を可能にするために、前記支持ストラットに対して前記支持プラットフォームを回転可能に装着する手段をさらに含む請求項２に記載の受動運動装置。
【請求項４】
前記電動駆動手段は、電気駆動モータと、前記モータの操作を選択的に制御する制御手段とを備える請求項１に記載の受動運動装置。
【請求項５】
前記制御手段は、前記第１の支持部材に対する前記第２の支持部材の回転運動量を調節するようにプログラム可能なモータ制御手段を含む請求項４に記載の受動運動装置。
【請求項６】
前記制御手段は、前記受動運動中の前記装置の使用者が、前記第２の支持部材の相対的運動を終了する操作を行うように適合された停止スイッチを含む請求項４に記載の受動運動装置。
【請求項７】
前記モータは、ギヤヘッドモータを含み、
前記駆動手段は、さらに、
前記第１の支持部材に装着され前記モータにより回転駆動されるウォームスクリューと、
前記ウォームスクリューに装着され、前記モータにより前記ウォームスクリューの回転に応じて移動する作動ナットと、
前記作動ナットおよび前記第２の支持部材に回転可能に連結されて、前記ウォームスクリューに沿った前記作動ナットの移動に応じて前記第２の支持部材を回転運動させるリンクと、
を含む請求項４に記載の受動運動装置。
【請求項８】
前記第２の支持部材に取り付けられた安全ベルトをさらに備える請求項１に記載の受動運動装置。
【請求項９】
前記第１の支持部材に、横方向に間隔を置いて配置され取り付けられた一対のハンドグリップをさらに備える請求項１に記載の受動運動装置。
【請求項１０】
前記支持部材の１つは、膨張可能な手段を含み、該膨張可能な手段は、交互に膨張可能な第１および第２の部分を含み、その上に受け取られた身体の一部分を回転運動させる請求項１に記載の受動運動装置。
【請求項１１】
前記第１および第２の部分は、並べて配置され膨張可能な第１および第２のブラダーを含み、
前記膨張可能な手段は、さらに、空気ポンプと、該ポンプが前記第１および第２のブラダーを交互に膨張させ収縮させるように前記ポンプを前記ブラダーに連結する手段とを含む請求項１５に記載の受動運動装置。
【請求項１２】
前記支持部材の１つは、使用者の少なくとも頭を支持し、前記装置は、さらに、作動されると、第１の端部位置と第２の端部位置との間において、使用者の首および頭を連続して周期的に繰り返し回転運動させる頚部回転手段をさらに含む請求項１に記載の受動運動装置。
【請求項１３】
前記第１の支持部材は、使用時に、使用者の少なくとも後頭部を支持し、
前記第２の支持部材は、使用時に、使用者の少なくとも体幹下部を支持し、
前記電動駆動手段は、作動時に、第１の端部位置と第２の端部位置との間における垂直回転軸線の周りの、連続した周期的な回転運動を前記第２の支持部材に繰り返し行わせて、使用者の少なくとも体幹下部に連続して受動運動を行わせる請求項１に記載の受動運動装置。
【請求項１４】
前記垂直回転軸線は、前記第１の支持部材に隣接した前記第２の支持部材の端部に配置されるとともに、前記第２の支持部材の対向した縁から等間隔を置いて配置される請求項１３に記載の受動運動装置。
【請求項１５】
前記主支持アセンブリは、使用時に、前記平面に配置された実質的に水平なさらなる支持面を提供する第３の支持部材を含む請求項１に記載の受動運動装置。
【請求項１６】
受動運動装置であって、該装置は、
該装置の使用者の身体の少なくとも一部分を支持し、また、使用者の身体の異なる部分を支持する第１、第２および第３の支持部材を含む主支持アセンブリであって、前記支持部材の少なくとも１つは、前記主支持アセンブリの残りの支持部材に回転可能に装着され、また、少なくとも１つの前記支持部材の、残りの前記支持部材に対する動きによって、少なくとも１つの前記支持部材により支持された使用者の身体の一部分の、残りの前記支持部材により支持された身体の一部分に対する受動運動が提供されるように前記主支持アセンブリの残りの支持部材に対して可動である前記主支持アセンブリと、
使用者の脚の下部分が、使用者の身体の残りの部分に対して高められるように、前記主支持アセンブリに対して高められる平面において使用者の脚の下部分を支持するために、前記主支持アセンブリの１つの端部において前記主支持アセンブリに連結される脚支持アセンブリと、
作動時に、少なくとも１つの前記支持部材により支持された身体の部分の連続した受動運動を提供するために、連続して周期的に繰り返し、少なくとも１つの前記支持部材の、残りの前記支持部材に対する前記運動を提供する電動駆動手段と、
を備え、
前記主支持アセンブリの前記支持部材の１つは、使用者の少なくとも頭を支持し、前記装置は、さらに、作動時に、連続して周期的に繰り返し、使用者の首および頭の回転運動を提供する頚部回転手段を含む受動運動装置。
【請求項１７】
使用者の体幹下部および脚を、使用者の身体の残りの部分に対して、受動的に運動させるための受動運動装置であって、前記受動運動装置は、
身体支持ユニットを含み、該身体支持ユニットは、
使用時に、使用者の少なくとも頭と係合する第１の支持部材と、
前記第１の支持部材に対して可動であり、かつ使用時に、使用者の体幹の少なくとも一部分と係合するように前記第１の支持部材に隣接して配置される少なくとも１つの第２の支持部材と、
異なる平面において前記第２の支持部材に隣接して配置されて、使用時に、使用者の脚の上部が、実質的に９０°で、使用者の体幹下部および使用者の脚の下部へ延びるように使用者の脚の下部と係合する第３の支持部材と、
作動時に、連続して周期的に繰り返し、前記第１の支持部材に対する前記第２および第３の支持部材の横方向の回転運動を提供するモータ手段と、
前記身体支持ユニットの少なくとも一部分を回転可能に支持して、前記身体支持ユニットに着座姿勢で使用者が支持される、実質的に直立した第１の位置と、前記身体支持ユニットにリクライニングされた姿勢で使用者が支持される、実質的に水平な第２の位置との間において、前記身体支持ユニットの前記部分を回転可能に支持する静止ベースと、
を備える、受動運動装置。
【請求項１８】
作動時に、連続して周期的に繰り返し、第１の端部位置と第２の端部位置との間において使用者の首および頭の回転運動を提供する頚部回転手段をさらに備える請求項１７に記載の受動運動装置。